(57)【要約】      （修正有）【課題】建設現場、住宅の屋根、建築物などを高所から写真撮影し、簡単に状態や形状を測定できる高所写真撮影装置を提供する。【解決手段】ポール３、６、７は、釣り竿のように、複数のパイプを重ねて収納され、任意の長さに伸縮させることができ、該ポールを下段２本と上段１本を接合し、２段組ポールとする。２段組かつ楕円形状を持つ該ポールは、しなりや振れが少なく、カメラ１を安定して搭載でき、鮮明な写真が撮影できる。ポールの下端が取り付けられる接地プレート１３は、一軸の接合ピン１８にて接続され、ポールと接地プレートは自由に角度を変えられ、傾斜のある設置面にも、該ポールを垂直に立てることができる。ポールの先端に取り付けされたカメラは、手元にて、パン＆チルト装置２により任意の角度に自由に設定でき、カメラ画像モニタで画像８を確認しながら、リモートシャッタ装置により撮影することができる。【選択図】図１
0003181537.tif 000002
【実用新案登録請求の範囲】
【請求項１】
建設現場、住宅の屋根、建築物、構築物、遺跡発掘現場などの高所写真撮影に使用されるポールの上端にカメラを搭載した高所写真撮影装置において、装置高さをより高くするため、伸縮式ポール２本で構成される下段ポールと同様のポール１本で構成される上段ポールからなる２段組ポールを持つ高所写真撮影装置。
【請求項２】
請求項１記載の高所写真撮影装置において、該伸縮式ポールは、持ち運びや組立を簡単にするため、複数の径が異なるパイプから構成され、太いパイプ側に細いパイプを、順次収納し長さを短縮できる。又、太いパイプ側に細いパイプを固定する装置が付いており、任意の長さにポールを固定することができる。
【請求項３】
請求項１記載の高所写真撮影装置において、該伸縮式ポールは、しなりを少なくするために、円形断面に比べより強度の強い楕円形断面を持つポールから構成される。
【請求項４】
請求項１記載の高所写真撮影装置において、該下段ポールの下端には、該伸縮式ポールにピンで接合され、前後方向の自由度を持ち、地面の角度に沿って設置できる接地プレートが取り付けられる。
【請求項５】
請求項１記載の高所写真撮影装置において、該下段ポールは、該伸縮式ポールを垂直に設置、延伸させるために、該伸縮式ポールに設置された水準器を有する。
【請求項６】
請求項１記載の高所写真撮影装置において、該上段ポールの先端に、２Ｄカメラ、３Ｄカメラ、ビデオカメラ、並びに赤外線カメラがそれぞれ搭載される。
【請求項７】
請求項１記載の高所写真撮影装置において、該上段ポールの先端に取り付けられた該カメラの向きを左右、上下に変えられるパン＆チルト装置と、該下段ポールの手元位置に、該パン＆チルト装置のコントローラが取り付けられる。
【請求項８】
請求項１記載の高所写真撮影装置において、該上段ポールの先端に取り付けられた該カメラのシャッタをリモートで切るリモートシャッタ装置とリモートシャッタスイッチが該下段ポールの手元位置に取り付けられる。
【請求項９】
請求項１記載の高所写真撮影装置において、該下段ポールの手元位置に、撮影前後の被写体の画像を確認する画像モニタが取り付けられる。
【考案の詳細な説明】
【技術分野】
【００１】  本考案は、建設現場、住宅の屋根、建築物、構築物などを高所から写真撮影し、簡単に状態や形状を測定できる高所写真撮影装置に関するものである。
【背景技術】
【００２】  建設現場では、施工した基礎などの状況写真を多く撮り、図面と符合させるが、建設現場で、高所から写真を撮ることは、足場を組む費用や手間が掛かり、又、狭い現場では、安全な足場を組むことが難しい。橋梁などの大型構築物のメンテナンスでは、橋梁の高所に位置する亀裂、ヒビ、塗装のハガレなどの多くの現場写真が撮られる。同様の足場の問題があり、安全に、安価に撮影することが難しい。太陽光パネルの施工では、予め、屋根の形状を測量し、太陽光パネルの形状設計や取り付け方法などを検討するが、同様の足場の問題があり、正確な屋根の形状を測定することが難しい。
【考案の開示】
【考案が解決しようとする課題】
【００３】  高さ約１０ｍの高所撮影装置において、従来技術では、１本のポールの先端にカメラを取り付けるため、通常では、カメラ重量でポールが大きくしなったり、先端のカメラが風などで揺れ、撮影が難しい。ポール強度を上げると、ポール径が太くなり、重量も重くなり、装置が大きくなると共に、持ち運び、組立も大変となる。軽量で強度があり、かつ、持ち運びも簡単なポールが求められる。【００４】  該高所撮影装置は垂直に設置する。設置面が水平な場合のみでなく、設置面に傾斜がある場合にも、装置を垂直に設置、保持できる機構が必要である。【００５】  該カメラが高所にあるため、手元でカメラの向きを変更でき、同時に、被写体が画角に入っていることを手元で確認でき、更に、手元でリモートシャッタが切れること。
【課題を解決するための手段】
【００６】  伸縮式で、パイプ形状が楕円のポールを３本使用する。内、２本のポールを２０ｃｍほどの間隔で並列させ、３組のポール固定プレートで組み付けする。更に、２本のポールの最先端部に取り付けられた上２組のポール固定プレートに、残りの１本のポールの下端部を組み付けする。ポールは下段２本、上段１本の状態で堅固に組み付けられる。輸送時は、３本の該ポールは縮めた状態となり、コンパクトで、容易に持ち運びができる。使用時には、３本のポールは、それぞれが伸びた状態となり、約１０ｍの長さになる。本２段組ポールは、軽量で強度も強く、ポールの最先端にカメラを取り付けてもしなりや揺れが無く、カメラは安定して保持されている。【００７】  該高所撮影装置において、下段のそれぞれのポールの下端と接地プレートとは、１軸の接合ピンを介して接続されている。接合ピンは１自由度で自由に動き、傾斜面に接地プレートが設置された場合にも、ポールを垂直に立てることができる。
尚、垂直状態は、ポールに取り付けられた水準器により確認することができる。【００８】  該高所写真撮影装置において、該ポールの先端には、２Ｄカメラ、３Ｄカメラ、ビデオカメラ並びに赤外線カメラなどがそれぞれに設置される。該カメラは、ポールの先端の高所に取り付けられており、遠隔でカメラを操作する必要がある。先ず、カメラを被写体に向けるパン＆チルト装置にカメラに取り付け、手元に取り付けされた該装置用コントローラで、カメラの角度を自由に操作できるようにした。【００９】  該高所写真撮影装置において、該ポールの先端に取り付けられたカメラのシャッタを切るため、該カメラにリモートシャッタ装置を取り付け、又、手元に取り付けされたリモートシャッタ用スイッチで操作できるようにした。尚、カメラによっては、リモートシャッタ機能が内蔵されているものがあり、その場合には、手元にリモートシャッタ用スイッチのみが取り付けられる。更に、撮影前後にカメラに写る被写体の画像を確認できるカメラ用画像モニタを手元に設置した。
【考案の効果】
【０１０】  ２Ｄカメラ、３Ｄステレオカメラ、ビデオカメラ並びに赤外線カメラを設置した該高所写真撮影装置を使用して、高所にあるカメラの画像をカメラ用画像モニタで見ながら、パン＆チルト装置でカメラの向きを変えて被写体を画角に入れ、リモートシャッタで撮影することができる。【０１１】  該高所写真撮影装置は、重量も軽く、容易に持ち運びでき、伸縮式のポールを使用しており、現場で短時間に組立できる。【０１２】  該高所写真撮影装置は、楕円形状を持つパイプで構成されるポールと、該ポールを下段２本、上段１本で組んだ２段組ポール構造を持ち、軽量で、強度も強く、しなりや揺れもないことから、カメラを安定して取り付けられる。
【実施例】  該ポールに２Ｄカメラ、３Ｄステレオカメラ、ビデオカメラ並びに赤外線カメラ、パン＆チルト装置、カメラ用画像モニタ、カメラ用リモートシャッタを取り付け、建設現場に使用し、現場の基礎の形状の図面との符合が簡単にできる。橋梁の高所に位置する亀裂、ヒビ、塗装のハガレなどの現場写真を撮影できる。又、住宅の屋根を撮影し、屋根の寸法を測量できる。
【図面の簡単な説明】
【図１】図１は、高所写真撮影装置の全体図（正面図）である。
【図２】図２は、高所写真撮影装置の全体図（側面図）である。
【図３】図３は、伸縮式ポールの詳細図である。
【符号の説明】  １：カメラ
２：パン＆チルト装置
３：伸縮式ポールＩ
４：ポール固定プレートＩ
５：ポール固定プレートＩＩ
６：伸縮式ポールＩＩ
７：伸縮式ポールＩＩＩ
８：  カメラ用画像モニタ
９：カメラ用リモートシャッタスイッチ
１０：パン＆チルト装置用コントローラ
１１：水準器
１２：ポール固定プレートＩＩＩ
１３：接地プレート
１４：カメラ用リモートシャッタ装置
１５：リモートシャッタ用ケーブル
１６：カメラ画像モニタ用ケーブル
１７：パン＆チルト装置用ケーブル
１８：接合ピン
１９：パイプ固定ジグ
２０：小径楕円パイプ
２１：中径楕円パイプ
２２：大径楕円パイプ
【図１】
0003181537.tif 000003
【図２】
0003181537.tif 000004
【図３】
0003181537.tif 000005